(57)【特許請求の範囲】
【請求項１】
外側片と底片と内側片とから構成されて軒樋内面に沿った外形状の軒樋継手本体の、外側片上端部と内側片上端に軒樋の被係止部に係止する係止部を設け、軒樋継手本体の外側片上端より底片の内側片側端部までを切り欠いて切り起こしが可能な可動外側片と可動底片とが連続した接着用可動部を形成し、接着用可動部を軒樋継手本体に対して内側に切り起こし、接着用可動部外面の上端から接着用可動部外面下端を経由して内側片外面上端まで連続する領域を接着剤を塗布する接着剤塗布部として成ることを特徴とする軒樋継手。
【請求項２】
幅方向の略中間部に接着用可動部を形成し、可動外側片の両側の外側片をそれぞれ分割外側片とすると共に可動底片の両側の底片をそれぞれ分割底片として成ることを特徴とする請求項１記載の軒樋継手。
【請求項３】
分割外側片の両上端部を補強材で連結して成ることを特徴とする請求項２記載の軒樋継手。
【請求項４】
接着用可動部を軒樋に当接させた時に、接着用可動部を軒樋に固定する係合部を可動外側片に設けて成ることを特徴とする請求項１乃至３のいずれかに記載の軒樋継手。
【請求項５】
接着剤塗布部に、接着剤を塗布する部位であることを示す表示を設けて成ることを特徴とする請求項１乃至４のいずれかに記載の軒樋継手。
【請求項６】
外側片と底片と内側片とから構成されて軒樋内面に沿った外形状の軒樋継手本体の、外側片上端部と内側片上端に軒樋の被係止部に係止する係止部を設け、軒樋継手本体の外側片上端より底片を経由して少なくとも内側片の上下方向略中間部までを切り欠いて切り起こしが可能な可動外側片と可動底片と可動内側片部とが連続した接着用可動部を形成し、接着用可動部を軒樋継手本体に対して内側に切り起こし、接着用可動部外面の上端から接着用可動部外面下端を経由して内側片外面上端まで連続する領域を接着剤を塗布する接着剤塗布部として成ることを特徴とする軒樋継手。
【請求項７】
可動内側片部の上下方向の一部を断面略Ｃ字状をした切起し用曲げ弾性部としたことを特徴とする請求項６記載の軒樋継手。
【発明の詳細な説明】
【０００１】
【発明の属する技術分野】
本発明は、軒樋を長手方向に接合する軒樋継手に関するものである。
【０００２】
【従来の技術】
従来より、軒樋の長手方向の端部同士を接続するには図８に示すように、外側継手８と内側継手１’とを用いて接続していた。このように、外側継手８と内側継手１’とを用いて接続するので、部材点数が増えるだけでなく、外側継手８が外部に露出して外観が見苦しくなるという問題があった。そこで、内側継手１’のみで軒樋２同士を接続することが考えられるが、以下の理由により内側継手１’のみでは接続するには問題があり、結局外側継手８を必要としていた。
【０００３】
つまり、内側継手１’は外側片１１’と底片１２’と内側片１３’とから構成されて軒樋２の内面に沿った外形状をしており、外側片１１‘上端部と内側片１３’上端には軒樋２の被係止部２１に係止する係止部３’（３ａ’、３ｂ’）が設けてある。このような構成の内側継手１’で軒樋２内面に接着して軒樋同士を接続するには、まず外側片１１’外面の上端より底片１２’外面を経由して内側片１３’外面の上端まで連続した接着剤塗布部７’に接着剤を塗布し、この状態で、図９（ａ）に示すように内側片１３’上端の係止部３ａ’を傾斜させて軒樋２の内側に入れる。そして図９（ｂ）に示すように軒樋２の内側片側の被係止部２１ａに係止し、係止した係止部３ａ’を中心にして内側継手１’を矢印方向に回動させ、図９（ｃ）に示すように内側継手１’を軒樋に嵌めこむと共に内側継手１’の外面を軒樋２の内面に当接させ、外側片１１’の上端部の係止部３ｂ’を軒樋２の外側片１１’側の被係止部２１ｂに係止して内側継手１’を軒樋２に取付け、接着剤が硬化することで軒樋２同士を内側継手１’で接着するものである。
【０００４】
ところが、上記のように係止部３ａ’を中心にして内側継手１’を回動させる時に、図９（ｂ）に示すように内側継手１’の接着剤塗布部７’が軒樋２の接着部以外の部位９に接触して接着剤が剥がてしまう。このため、内側継手１’の外面の全周にわたって軒樋２の内面に接着されず、接着されない部分から水漏れが生じるという問題がある。このように内側継手１’のみで軒樋を接続しようとすると、接着剤が剥がれて接着されない部分が生じるため、どうしても外側継手８を用いて接合部分の止水性を確保する必要があったのである。
【０００５】
【発明が解決しようとする課題】
本発明は上記の点に鑑みてなされたものであり、その目的とするところは、軒樋継手を軒樋に接着する時に、接着剤塗布部を軒樋との接着面以外に接触させて接着剤が剥がれることがなく、また軒樋外継手を必要としない軒樋継手を提供することを課題とするものである。
【０００６】
【課題を解決するための手段】
上記課題を解決するために本発明に係る軒樋継手は、外側片１１と底片１２と内側片１３とから構成されて軒樋２内面に沿った外形状の軒樋継手本体１ａの、外側片１１上端部と内側片１３上端に軒樋２の被係止部２１に係止する係止部３を設け、軒樋継手本体１ａの外側片１１上端より底片１２の内側片１３側端部までを切り欠いて切り起こしが可能な可動外側片１１ｂと可動底片１２ｂとが連続した接着用可動部１ｂを形成し、接着用可動部１ｂが軒樋継手本体１ａに対して内側に切り起こされ、接着用可動部１ｂ外面の上端から接着用可動部１ｂ外面下端を経由して内側片１３外面上端まで連続する領域を接着剤を塗布する接着剤塗布部７として成ることを特徴とするものである。このような構成とすることで、軒樋継手１を軒樋２内面に接着させる時、まず軒樋継手本体１ａを軒樋２内面に当接させて係止した後に接着用可動部１ｂを軒樋２内面に当接して接着するので、接着用可動部１ｂの接着剤塗布部７を軒樋２との接着部以外に接触させて接着剤が剥がれることを防止することが可能となるものである。
【０００７】
また、幅方向の略中間部に接着用可動部１ｂを形成し、可動外側片１１ｂの両側の外側片をそれぞれ分割外側片１１ａとすると共に可動底片１２ｂの両側の底片をそれぞれ分割底片１２ａとすることが好ましい。このような構成とすることで、軒樋継手本体１ａを軒樋２の内面に当接した時、一方の分割外側片１１ａを一方の軒樋２の内面に、他方の分割外側片１１ａを他方の軒樋２の内面に係止でき、一方の軒樋内面が他方の軒樋内面の延長上に位置するので、接着用可動部１ｂを隙間なく接着できて、水漏れを防止できるようになるものである。
【０００８】
また、分割外側片１１ａの両上端部を補強材６で連結することが好ましい。このような構成とすることで、軒樋継手本体１ａの剛性が高まり、より一層正確に一方の軒樋内面が他方の軒樋内面の延長上に位置するので、接着用可動部１ｂを隙間なく接着できて、更に水漏れを抑えられるようになるものである。
【０００９】
また、接着用可動部１ｂを軒樋２に当接させた時に、接着用可動部４を軒樋２に固定する係合部５を可動外側片１１ｂに設けることが好ましい。このような構成とすることで、接着用可動部１ｂを軒樋２に当接させて、接着用可動部１ｂに塗布した接着剤が乾燥して接着用可動部１ｂが軒樋２に接着されるまで、接着用可動部１ｂを軒樋２内面に固定させることができるようになるものである。
【００１０】
また、接着剤塗布部７に、接着剤を塗布する部位であることを示す表示を設けることが好ましい。このような構成とすることで、不注意や誤解等によって接着剤を塗布する部位を誤ることが防止できるものである。
【００１１】
また、外側片１１と底片１２と内側片１３とから構成されて軒樋２内面に沿った外形状の軒樋継手本体１ａの、外側片１１上端部と内側片１３上端に樋２の被係止部２１に係止する係止部３を設け、軒樋継手本体１ａの外側片１１上端より底片１２を経由して少なくとも内側片１３の上下方向略中間部までを切り欠いて切り起こしが可能な可動外側片１１ｂと可動底片１２ｂと可動内側片部１３ｂとが連続した接着用可動部１ｂを形成し、接着用可動部１ｂが軒樋継手本体１ａに対して内側に切り起こされ、接着用可動部１ｂ外面の上端から接着用可動部１ｂ外面下端を経由して内側片１３外面上端まで連続する領域を接着剤を塗布する接着剤塗布部７とすることが好ましい。このような構成とすることで、軒樋継手１を軒樋２内面に接着させる時、まず軒樋継手本体１ａを軒樋２内面に当接させて係止した後に接着用可動部１ｂを軒樋２内面に当接して接着するので、接着用可動部１ｂの接着剤塗布部を軒樋２との接着部以外に接触させて接着剤が剥がれることを防止することが可能となるものである。
【００１２】
また、可動内側片部１３ｂの上下方向の一部を断面略Ｃ字状をした切起し用曲げ弾性部１４とすることが好ましい。このような構成とすることで、接着用可動部４を軒樋継手本体１ａに対して切り起こすために必要な変形が変形しやすい弾性部である切起し用曲げ弾性部１４に集中するため、接着用可動部４を軒樋継手本体１ａに対して容易に切り起こせると共に切り起こした状態を容易に保持でき、軒樋継手１を軒樋２に装着する作業が容易になるものである。
【００１３】
【発明の実施の形態】
以下、本発明を添付図面に示す実施形態に基づいて説明する。
【００１４】
図１に示す実施形態においては軒樋継手１は弾性力を有する合成樹脂で形成され、軒樋継手本体１ａと接着用可動部１ｂとで構成してあり、添付図面に示す実施形態では接着用可動部１ｂは軒樋継手本体１ａの一部を切り起こして構成してある。
【００１５】
軒樋継手本体１ａは外側片１１と底片１２と内側片１３とから構成されており、この軒樋継手本体１ａは接続しようとする軒樋２内面に沿った外形状をしている。軒樋継手本体１ａの両側に位置する外側片１１と内側片１３との各上端の継手用耳部には軒樋２の両側上端部の耳部に設けられた被係止部２１に係止するための係止部３が設けてある。ここで、内側片１３の上端部の継手用耳部に設けた係止部３ａは図２に示すように上方に開口した凹部３１ａにより形成してある。また、外側片の上端部に設けた継手用耳部はＬ状段部とＬ状段部の上端部に斜め上方に向けて突出する傾斜片とで構成してあり、Ｌ状段部と傾斜片の突出基部とにそれぞれ下突起３２ａと上突起３２ｂとが突設してあって、この下突起３２ａと上突起３２ｂとが外側片１１の上端の係止部３ｂを構成している。
【００１６】
接着用可動部１ｂは、軒樋継手１の幅方向の略中間部に形成されている。この接着用可動部１ｂを形成するには軒樋継手１の外側片１１上端より底片１２の内側片１３側端部までを切り欠いて切り起こして、可動外側片１１ｂと可動底片１２ｂとが連続して形成されている。可動外側片１１ｂと可動底片１２ｂは軒樋継手本体１ａと同形であり、図２（ａ）に示すように可動外側片１１ｂは外側片１１より内側に、可動底片１２ｂは底片１２より内側に傾斜した状態となっている。また軒樋継手１の幅方向の略中間部において、外側片１１上端より底片１２の内側片１３の側端部まで切り欠いて接着用可動部１ｂを形成することで、外側片１１、底片１２はそれぞれ接着用可動部１ｂの両側に位置する分割外側片１１ａ、分割底片１２ａに分割される。
【００１７】
上記のようにして構成された軒樋継手１を用いて軒樋２の長手方向の端部同士を接続するものである。
【００１８】
軒樋２は、図２（ｃ）に示すように外側片部２２と底片部２３と内側片部２４とから構成されている。軒樋２の両側に位置する外側片部２２と内側片部２４との各上端に耳部が設けてあり、両耳部にはそれぞれ被係止部２１が設けてある。ここで、内側片部２４の上端に設けた被係止部２１ａは内面側に開口した凹部２５ａが形成してあり、凹部２５ａの上端からは下向きに突片２５ｂが突出している。また、外側片部２２の耳部の上端からは、内側に向けて突出片２６が突出し、突出片２６の先端からは下方に第１被係止部２６ａが突出して、更に突出片２６基部より下方に第２被係止部２６ｂが突出しており、これら突出片２６と第１被係止部２６ａと第２被係止部２６ｂとから外側片部２２耳部の被係止部２１ｂを形成している。
【００１９】
軒樋継手１を軒樋２に接着するにはまず、接着剤塗布部に接着剤を塗布し、図３（ａ）に示すように内側片１３上端の係止部３ａを下にして軒樋２の内側に入れ、係止部３ａの凹部３１ａに軒樋２の内側片側の被係止部２１ａの突片２５ｂを引っ掛ける。次に図３（ｂ）に示すように突片２５ｂを引っ掛けた係止部３ａの凹部３１ａを中心にして軒樋継手本体１ａを矢印方向に回動させ、分割外側片１１ａを軒樋２の外側片部２２に、分割底片１２ａを軒樋２の底片部２３にそれぞれ当接させ、下突起３２ａを第２被係止部２６ｂに係止すると共に上突起３２ｂを第１被係止部２６ａに係止する。この時、接着用可動部１ｂは軒樋２の内側に切り起こされて傾斜している。
【００２０】
次に、接着用可動部１ｂを内側片１３側の下端部を中心にして弾性変形させることで回動させ、可動外側片１１ｂを外側片部２２に当接させる共に可動底片１２ｂを底片部２３に当接させて、両軒樋２の端部の内面に接着用可動部１ｂの接着剤塗布部７を密着させる。係合部５を軒樋２の外側片部２２耳部の被係止部２１ｂに係合させて、接着剤が硬化するまで接着用可動部１ｂを軒樋２に固定させる。接着用可動部１ｂの係合部５は、軒樋継手本体１ａの分割外側片１１ａの上端部に設けた係止部３ｂと同形状、つまり、外側片の上端部にＬ状段部とＬ状段部の上端部に斜め上方に向けて傾斜片が設けられ、Ｌ状段部と傾斜片の突出基部とにそれぞれ下突起５ａと上突起５ｂとが突設してあって、この下突起５ａと上突起５ｂとから構成されており、下突起５ａを第２被係止部２６ｂに係合すると共に上突起５ｂを第１被係止部２６ａに係合するのである。
【００２１】
以上のように構成することによって、接着剤を塗布した接着用可動部１ｂを軒樋２内面に当接させる時、従来であれば図８に示すように内側継手１’の接着剤塗布部と軒樋２が接触して内側継手１’と軒樋２が弾性変形しながら内側継手１’を軒樋２に当接させていたところを、先に軒樋継手本体１ａを軒樋２内面に接触して弾性変形させて当接することで、後から軒樋２に当接させる接着用可動部１ｂは接触して接着剤が剥がれることなく軒樋２に当接できるものである。
【００２２】
また、図４に示すように、分割外側片１１ａの両上端部を補強材６で連結してもよい。このような構成とすることで、軒樋継手本体１ａの剛性が高まり、軒樋継手本体１ａを軒樋２の内面に係止させた時に、接合する軒樋２同士を長手方向により一直線に配置することができるものである。
【００２３】
また、接着剤塗布部７に、接着剤を塗布する部位であることを示す表示を設けてもよい。このような構成とすることで、不注意や誤解等によって接着剤を塗布する部位を誤ることが防止することができるようになる。
【００２４】
次に、更に他の実施形態について図５に基づいて説明する。
【００２５】
本実施形態においては、図４に示すような実施形態に加えて、内側片１３上端部の長手方向両端部に、上方に行く程内側片１３の幅が狭くなるように切り欠いたエッジ部１６を設けると共に、軒樋継手１の可動外側片１１ｂの上端部外側に、軒樋継手１を装着する軒樋２二つの突き合わせた長手方向端部上端を覆うような雨水汚れ防止リブ１５を設けるものである。
【００２６】
このような構成とすることで、図３の説明図に示す順序と同様の順序で、接続する軒樋２に軒樋継手１を装着する際、上方程内側片１３の幅が狭くなるように設けたエッジ部１６によって、内側片１３上端部の係止部３ａを軒樋２の被係止部２１ａに嵌め込み易くなると共に、接続する軒樋２に軒樋継手１を装着した時、軒樋継手１の可動外側片１１ｂの上端部外側に設けた雨水汚れ防止リブ１５によって、接続した両軒樋２の突き合わせた端部の上端が覆われる状態となり、降雨時に、雨水が流下し易い両軒樋２の突き合わせた端部を雨水が流下することを防止でき、これに伴って、雨水が繰返し同じ流路を流下することで流路に形成される雨垂れ汚れが両軒樋２の突き合わせた端部に形成されることを防止できるものである。
【００２７】
次に、更に他の実施形態について図６及び図７に基づいて説明する。
【００２８】
本実施形態においては、上実施形態に加えて、接着用可動部４の軒樋継手本体１ａからの切り起こし部位を延長し、接着用可動部４と軒樋継手本体１ａとの接続部位に切起し用曲げ弾性部１４を設けるものである。更に詳しく説明すると、軒樋継手本体１ａの外側片１１上端より底片１２を経由して少なくとも内側片１３の上下方向略中間部までを切り欠いて切り起こしが可能な可動外側片１１ｂと可動底片１２ｂと可動内側片部１３ｂとが連続した接着用可動部１ｂを形成し、内側片１３のうち可動内側片部１３ｂ以外の部位を内側片本体１３ａとし、可動内側片部１３ｂと内側片本体１３ａとの接続部位に、断面略Ｃ字状をした切起し用曲げ弾性部１４を設けるものである。
【００２９】
このような構成とすることで、接着用可動部４を軒樋継手本体１ａに対して切り起こすために必要な変形が変形しやすい弾性部である切起し用曲げ弾性部１４に集中するため、接着用可動部４を軒樋継手本体１ａに対して容易に切り起こせると共に切り起こした状態を容易に保持でき、切り起こした状態を保持しながら接続する軒樋２内面に軒樋継手本体１ａを図７（ａ）に示すように装着し、その後図７（ｂ）に示すように接着用可動部４を軒樋２内面に容易に装着できて、軒樋継手１を軒樋２に装着する作業が容易になるものである。
【００３０】
【発明の効果】
上記のように本発明の請求項１記載の発明にあっては、軒樋継手本体の外側片上端より底片の内側片側端部までを切り欠いて、切り起こしが可能な可動外側片と可動底片とが連続した接着用可動部を形成し、接着用可動部が軒樋継手本体に対して内側に切り起こされ、接着用可動部外面の上端から接着用可動部外面下端を経由して内側片外面上端まで連続する領域を接着剤を塗布する接着剤塗布部としてるので、軒樋継手を軒樋内面に接着させる時、接着用可動部の接着剤塗布部を軒樋の接着部以外に接触させて接着剤が剥がれることを防止でき、また軒樋外継手を使用する必要がないのでコストダウンを達成でき、美観を損ねることもなくなるものである。。
【００３１】
また請求項記載２の発明にあっては、上記請求項１記載の発明の効果に加えて幅方向の略中間部に接着用可動部を形成しているので、軒樋継手本体を軒樋の内面に当接した時、一方の分割外側片を一方の軒樋の内面に、他方の分割外側片を他方の軒樋の内面に係止でき、一方の軒樋内面を他方の軒樋内面の延長上に位置させることで、接合する軒樋同士を長手方向に一直線に配置して外観がさらに良くなり、また、水漏れを防止できるものである。
【００３２】
また請求項記載３の発明にあっては、上記請求項１記載の発明の効果に加えて分割外側片の両上端部を補強材で連結しているので、軒樋継手本体の剛性が高まり、軒樋継手本体を軒樋の内面に係止させた時に、軒樋の重み等で軒樋継手本体の変形を抑制し、接合する軒樋同士を長手方向により精確に一直線に配置することができるものである。
【００３３】
また請求項記載４の発明にあっては、上記請求項１記載の発明の効果に加えて接着用可動部を軒樋に当接させた時に、接着用可動部を軒樋に固定する係合部を設けてあるので、接着用可動部を軒樋に当接させて接着用可動部に塗布した接着剤が乾燥して接着用可動部が軒樋に接着されるまで、接着用可動部を軒樋内面に固定させることが可能となり、接着剤が乾くまで他の手段で接着用可動部を軒樋に固定する必要がなくなるものである。
【００３４】
また請求項記載５の発明にあっては、上記請求項１記載の発明の効果に加えて接着剤塗布部に、接着剤を塗布する部位であることを示す表示を設けているので、不注意や誤解等によって接着剤を塗布する部位を誤り、接着剤や軒樋継手や軒樋を無駄にすることがなくなるものである。
【００３５】
また請求項６記載の発明にあっては、外側片と底片と内側片とから構成されて軒樋内面に沿った外形状の軒樋継手本体の、外側片上端部と内側片上端に軒樋の被係止部に係止する係止部を設け、軒樋継手本体の外側片上端より底片を経由して少なくとも内側片の上下方向略中間部までを切り欠いて切り起こしが可能な可動外側片と可動底片と可動内側片部とが連続した接着用可動部を形成し、接着用可動部を軒樋継手本体に対して内側に切り起こし、接着用可動部外面の上端から接着用可動部外面下端を経由して内側片外面上端まで連続する領域を接着剤を塗布する接着剤塗布部としたので、軒樋継手を軒樋内面に接着させる時、接着用可動部の接着剤塗布部を軒樋の接着部以外に接触させて接着剤が剥がれることを防止でき、また軒樋外継手を使用する必要がないのでコストダウンを達成でき、美観を損ねることもなくなるものである。
【００３６】
また請求項７記載の発明にあっては、上記請求項６記載の発明の効果に加えて可動内側片部の上下方向の一部を断面略Ｃ字状をした切起し用曲げ弾性部としたので、接着用可動部を軒樋継手本体に対して切り起こすために必要な変形が変形しやすい弾性部である切起し用曲げ弾性部に集中するため、接着用可動部を軒樋継手本体に対して容易に切り起こせると共に切り起こした状態を容易に保持でき、軒樋継手を軒樋に装着する作業が容易になるものである。
【図面の簡単な説明】
【図１】本発明の一実施形態の斜視図である。
【図２】（ａ）は本発明の軒樋継手の一実施形態の側面図であり、
（ｂ）は正面図であり
（ｃ）は軒樋の側面図である。
【図３】（ａ）（ｂ）（ｃ）は本発明の軒樋継手を用いて軒樋を接続する順序を示す説明図である。
【図４】（ａ）は本発明の他の実施形態の側面図であり、
（ｂ）は正面図である。
【図５】本発明の更に他の実施形態を示し、（ａ）は斜視図であり、（ｂ）は軒樋継手を軒樋に装着した状態の斜視図である。
【図６】本発明の更に他の実施形態の斜視図である。
【図７】（ａ）（ｂ）は同上の実施形態の軒樋継手を用いて軒樋を接続する順序を示す説明図である。
【図８】従来の一実施形態の斜視図である。
【図９】（ａ）（ｂ）（ｃ）は従来例の内側継手を用いて軒樋を接続する場合の問題点を示す説明図である。
【符号の説明】
１  軒樋継手
２  軒樋
３  係止部
５  係合部
６  補強材
７  接着剤塗布部
【図１】
0003567870.tif 000002
【図２】
0003567870.tif 000003
【図３】
0003567870.tif 000004
【図４】
0003567870.tif 000005
【図５】
0003567870.tif 000006
【図６】
0003567870.tif 000007
【図７】
0003567870.tif 000008
【図８】
0003567870.tif 000009
【図９】
0003567870.tif 000010